【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
複数の操作手段と、
音量調整画面を少なくとも表示可能な画像表示手段と、
音出力手段と、
を備えた遊技台であって、
前記遊技台は、ぱちんこ機であり、
前記複数の操作手段のうちの少なくとも一つは、第一の操作手段であり、
前記複数の操作手段のうちの少なくとも一つは、第二の操作手段であり、
前記第一の操作手段は、第一の位置に少なくとも設けられた操作手段であり、
前記第二の操作手段は、第二の位置に少なくとも設けられた操作手段であり、
前記第一の位置は、ぱちんこ機の前面側であって、遊技者が操作可能な位置であり、
前記第二の位置は、ぱちんこ機の裏面側であって、遊技者が操作できない位置であり、
前記音出力手段から出力される出力音の音量調整のために、前記第一の操作手段が操作される場合があり、
前記音出力手段から出力される出力音の音量調整のために、前記第二の操作手段が操作される場合があり、
前記音量調整画面が前記画像表示手段に表示されている状態で前記第一の操作手段が操作されたことに応じて、前記出力音の音量が調整され、調整後の音量が該音量調整画面によって示されるように構成されており、
前記音量調整画面が前記画像表示手段に表示されている状態で前記第二の操作手段が操作されたことに応じて、前記出力音の音量が調整されるように構成されており、
前記音量調整画面が前記画像表示手段に表示されている状態で前記第二の操作手段が操作されたことに応じて、該音量調整画面が終了するように構成されており、再度音量調整画面が開始された場合に、前記第二の操作手段が操作されたことに応じて調整された前記出力音の音量が表示される、
ことを特徴とする遊技台。
【請求項２】
請求項１に記載の遊技台であって、
第一の制御手段と、
を備え、
前記第一の制御手段は、前記第一の操作手段によって調整された音量と前記第二の操作手段によって調整された音量が異なる場合に、該第二の操作手段によって調整された音量で前記音出力手段から出力音を出力可能な制御手段である、
ことを特徴とする遊技台。
【請求項３】
請求項１又は請求項２に記載の遊技台であって、
光出力手段と、
を備え、
前記第一の操作手段は、前記光出力手段から出力される光の輝度を少なくとも調整可能な操作手段であり、
前記第二の操作手段は、前記光出力手段から出力される光の輝度を少なくとも調整可能な操作手段である、
ことを特徴とする遊技台。
【請求項４】
請求項２、又は、請求項２を引用する請求項３に記載の遊技台であって、
第二の制御手段と、
を備え、
前記第一の制御手段は、前記第二の制御手段からのコマンドに応じた制御を少なくとも実行可能な制御手段である、
ことを特徴とする遊技台。
【請求項５】
請求項４に記載の遊技台であって、
当否判定を少なくとも実行可能な当否判定手段と、
を備え、
前記第二の制御手段は、前記当否判定手段を少なくとも含む制御手段である、
ことを特徴とする遊技台。
【請求項６】
請求項４又は請求項５に記載の遊技台であって、
前記第一の制御手段は、前記コマンドに応じて、前記音出力手段の制御を少なくとも実行可能な制御手段である、
ことを特徴とする遊技台。
【請求項７】
請求項４乃至請求項６のいずれか１項に記載の遊技台であって、
複数の制御基板を備え、
前記複数の制御基板のうちの少なくとも一つは、第一の制御基板であり、
前記複数の制御基板のうちの少なくとも一つは、第二の制御基板であり、
前記第一の制御手段は、前記第一の制御基板を少なくとも含んで構成される制御手段であり、
前記第二の制御手段は、前記第二の制御基板を少なくとも含んで構成される制御手段である、
ことを特徴とする遊技台。
【手続補正２】
【補正対象書類名】明細書
【補正対象項目名】発明の名称
【補正方法】変更
【補正の内容】
【発明の名称】遊技台
【手続補正３】
【補正対象書類名】明細書
【補正対象項目名】０００１
【補正方法】変更
【補正の内容】
【０００１】
本発明は、弾球遊技台（パチンコ機）、回胴遊技台（スロットマシン）、封入式遊技台あるいはメダルレススロットマシンに代表される遊技台に関する。
【手続補正４】
【補正対象書類名】明細書
【補正対象項目名】０００４
【補正方法】変更
【補正の内容】
【０００４】
しかしながら、従来の遊技台は、複数の操作手段による処理に改良の余地がある。
【手続補正５】
【補正対象書類名】明細書
【補正対象項目名】０００５
【補正方法】変更
【補正の内容】
【０００５】
本発明の目的は、複数の操作手段による処理に特徴を持った遊技台を提供することにある。
【手続補正６】
【補正対象書類名】明細書
【補正対象項目名】０００６
【補正方法】変更
【補正の内容】
【０００６】
本発明に係る遊技台は、複数の操作手段と、音量調整画面を少なくとも表示可能な画像表示手段と、音出力手段と、を備えた遊技台であって、前記遊技台は、ぱちんこ機であり、前記複数の操作手段のうちの少なくとも一つは、第一の操作手段であり、前記複数の操作手段のうちの少なくとも一つは、第二の操作手段であり、前記第一の操作手段は、第一の位置に少なくとも設けられた操作手段であり、前記第二の操作手段は、第二の位置に少なくとも設けられた操作手段であり、前記第一の位置は、ぱちんこ機の前面側であって、遊技者が操作可能な位置であり、前記第二の位置は、ぱちんこ機の裏面側であって、遊技者が操作できない位置であり、前記音出力手段から出力される出力音の音量調整のために、前記第一の操作手段が操作される場合があり、前記音出力手段から出力される出力音の音量調整のために、前記第二の操作手段が操作される場合があり、前記音量調整画面が前記画像表示手段に表示されている状態で前記第一の操作手段が操作されたことに応じて、前記出力音の音量が調整され、調整後の音量が該音量調整画面によって示されるように構成されており、前記音量調整画面が前記画像表示手段に表示されている状態で前記第二の操作手段が操作されたことに応じて、前記出力音の音量が調整されるように構成されており、前記音量調整画面が前記画像表示手段に表示されている状態で前記第二の操作手段が操作されたことに応じて、該音量調整画面が終了するように構成されており、再度音量調整画面が開始された場合に、前記第二の操作手段が操作されたことに応じて調整された前記出力音の音量が表示される、ことを特徴とする遊技台である。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
本発明によれば、複数の操作手段による処理に特徴を持った遊技台を実現できる。
【手続補正９】
【補正対象書類名】明細書
【補正対象項目名】１７８９
【補正方法】変更
【補正の内容】
【１７８９】
すなわち、本例では、設定値調整モードにおいて遊技者は音量調整を行っていないが、図１８６（ｄ）に示す、輝度調整画面表示のタイミングで第１出力設定スイッチ１９０による音量調整が行われたことにより、設定値調整モードを強制的に終了している。したがって、第１出力設定スイッチ１９０による音量調整を行った管理者（遊技店の店員など）のみならず、遊技者も音量調整が行われたことを把握することができる。
本例に係る遊技台は、複数の操作手段と、音量調整画面を少なくとも表示可能な画像表示手段（例えば、図１８６に示す装飾図柄表示装置２０８）と、音出力手段（例えば、図１５４に示すスピーカ１２０）と、を備えた遊技台であって、前記遊技台は、ぱちんこ機であり、前記複数の操作手段のうちの少なくとも一つは、第一の操作手段（例えば、図１５０（ｄ）に示す第２出力設定スイッチ１９４）であり、前記複数の操作手段のうちの少なくとも一つは、第二の操作手段（例えば、図１４９に示す第１出力設定スイッチ１９０）であり、前記第一の操作手段は、第一の位置に少なくとも設けられた操作手段であり、前記第二の操作手段は、第二の位置に少なくとも設けられた操作手段であり、前記第一の位置は、ぱちんこ機の前面側であって、遊技者が操作可能な位置であり、前記第二の位置は、ぱちんこ機の裏面側であって、遊技者が操作できない位置であり、前記音出力手段から出力される出力音の音量調整のために、前記第一の操作手段が操作される場合があり、前記音出力手段から出力される出力音の音量調整のために、前記第二の操作手段が操作される場合があり、前記音量調整画面が前記画像表示手段に表示されている状態で前記第一の操作手段が操作されたことに応じて、前記出力音の音量が調整され、調整後の音量が該音量調整画面によって示されるように構成されており、前記音量調整画面が前記画像表示手段に表示されている状態で前記第二の操作手段が操作されたことに応じて、前記出力音の音量が調整されるように構成されており、前記音量調整画面が前記画像表示手段に表示されている状態で前記第二の操作手段が操作されたことに応じて、該音量調整画面が終了するように構成されており、再度音量調整画面が開始された場合に、前記第二の操作手段が操作されたことに応じて調整された前記出力音の音量が表示される、ことを特徴とする遊技台である。
本例に係る遊技台によれば、複数の操作手段による処理に特徴を持った遊技台を実現できる。なお、第一の制御手段（例えば、図１５３に示す第１副制御部４００）と、を備え、前記第一の制御手段は、前記第一の操作手段によって調整された音量と前記第二の操作手段によって調整された音量が異なる場合に、該第二の操作手段によって調整された音量で前記音出力手段から出力音を出力可能な制御手段であってもよい。また、光出力手段（例えば、図１５４に示すランプ４１８）と、を備え、前記第一の操作手段は、前記光出力手段から出力される光の輝度を少なくとも調整可能な操作手段であり、前記第二の操作手段は、前記光出力手段から出力される光の輝度を少なくとも調整可能な操作手段であってもよい。また、第二の制御手段（例えば、図１５３に示す主制御部３００）と、を備え、前記第一の制御手段は、前記第二の制御手段からのコマンドに応じた制御を少なくとも実行可能な制御手段であってもよい。また、当否判定を少なくとも実行可能な当否判定手段（例えば、図１６０に示す特図２（特図１）関連抽選処理）と、を備え、前記第二の制御手段は、前記当否判定手段を少なくとも含む制御手段であってもよい。また、前記第一の制御手段は、前記コマンドに応じて、前記音出力手段の制御を少なくとも実行可能な制御手段であってもよい。また、複数の制御基板を備え、前記複数の制御基板のうちの少なくとも一つは、第一の制御基板（例えば、図１４９に示す第１副基板１６０）であり、前記複数の制御基板のうちの少なくとも一つは、第二の制御基板（例えば、図１４９に示す主基板１５６）であり、前記第一の制御手段は、前記第一の制御基板を少なくとも含んで構成される制御手段であり、前記第二の制御手段は、前記第二の制御基板を少なくとも含んで構成される制御手段であってもよい。
【手続補正１０】
【補正対象書類名】明細書
【補正対象項目名】１８３５
【補正方法】変更
【補正の内容】
【１８３５】
本発明に係る遊技台は、回胴遊技台（スロットマシン）や弾球遊技台（ぱちんこ機）などに代表される遊技台に適用することができる。